(57)【特許請求の範囲】
【請求項１】
内装施工用機器・工具・副資材の総合カタログとして、１つの、予め定められた工程からなる作業で用いる商品と、予め定められた工程からなる別の１つ以上の作業で用いる商品を多数掲載するカタログ本であって、
１つの作業について、用いる商品中で代表される商品及び／又は該作業が有する工程毎に、各代表される商品に属する個別商品および各工程で使用される個別商品の説明が掲載され、これに引き続き、別の作業について、用いる商品中で代表される商品及び／又は該別の作業が有する工程毎に、各代表される商品に属する個別商品および各工程で使用される個別商品の説明が掲載されるものであり、
各作業毎に用いる商品中で代表される商品及び／又は各作業が有する工程を、重複無く順番に見出し名として並べたナビゲーションインデックスを、商品説明の掲載頁と表装頁とに備え、
前記商品説明の掲載頁のナビゲーションインデックスには、該当頁に商品説明が掲載された個別商品が属する全ての商品及び工程の見出し名が、属しない商品及び工程の見出し名と区別して表示され、該当頁に商品説明が掲載された個別商品が属する全ての商品及び工程の見出し名に、それぞれ該当する商品説明が掲載されるカタログ指定頁が表示されており、
前記表装頁のナビゲーションインデックスとしては、前記作業毎に代表される各商品及び各作業が有する工程の見出し名の表示が小口側縁部に沿って配置され、このナビゲーションインデックスの前記各見出し名の表示に対応して小口に表示が形成されるように、該当する商品説明が掲載される頁の小口側縁部に前記見出し名をインデックス見出しとして配していることを特徴とするインデックス機能を有するカタログ。
【請求項２】
請求項１に記載されたカタログであって、
前記表装頁のナビゲーションインデックスに外れた小口側縁部に、各作業に応じた表示形式の作業別インデックスが設けられ、
この作業別インデックスに対応して小口に表示が形成されるように、該当する商品説明が掲載される頁の小口側縁部に作業に対応する表示形式のインデックス見出しを配していることを特徴とするインデックス機能を有するカタログ。
【請求項３】
請求項１又は請求項２に記載されたカタログであって、
前記表装頁のナビゲーションインデックスには、複数の作業間に重複する工程が存在することを示す表示が追加され、
このナビゲーションインデックスに対応して小口に表示が形成されるように、該当する商品説明が掲載される頁の小口側縁部に重複を示すインデックス見出しを配していることを特徴とするインデックス機能を有するカタログ。
【請求項４】
請求項３に記載されたカタログであって、
前記各作業毎に代表される商品及び／又は各作業が有する工程のうち、複数の商品及び／又は工程に重複して属する重複商品の商品説明が、１つの作業に該当する商品説明では詳しく掲載され、別の作業に該当する商品説明では前記１つの作業に該当する商品説明が掲載されるカタログ指定頁として掲載されていることを特徴とするインデックス機能を有するカタログ。
【請求項５】
請求項１〜４のいずれか１項に記載されたカタログであって、
５０音順に並べられた掲載個別商品名及び前記作業毎に用いる商品中で代表される商品及び／又は各作業が有する工程にそれぞれ属する下位概念の商品の品目名と、これに該当する商品説明が掲載されるカタログ指定頁を表示した５０音順インデックスを更に備え、
この５０音順インデックスには、該当する作業名が付されており、複数の作業で表示される重複する掲載個別商品名及び前記下位概念商品の品目名の各々に該当する商品説明が掲載されるカタログ指定頁が表示されていることを特徴とするインデックス機能を有するカタログ。
【請求項６】
請求項５に記載されたカタログにおいて、
前記５０音順インデックスには、掲載個別商品名と、前記作業毎の下位概念商品の品目名とが区別して表示されていることを特徴とするインデックス機能を有するカタログ。
【発明の詳細な説明】
【０００１】
【発明の属する技術分野】
本発明は例えば建築施工に関する商品を紹介するカタログ等のように、予め定められた工程からなる作業で用いる商品を多数掲載するカタログの工夫に関するものである。
【０００２】
【従来の技術】
従来より、商品カタログは、商品の内容等により大分類及び小分類ににまとめられ、この分類に沿って商品説明の頁が掲載されている。商品の検索には、商品の内容に対するカタログの分類を把握して該当する分類の項目を検索するか、商品名を５０音順インデックスで検索するか、商品番号一覧で検索するかなどしかなかった。
【０００３】
【発明が解決しようとする課題】
本発明は、例えば建築施工に関する商品を紹介するカタログ等のように、予め定められた工程からなる作業で用いる商品を多数掲載するカタログにおいて、目的の商品を判り易く、素早く検索することのできるカタログを得ることを目的とする。また、目的の商品がどのような工程で必要となるかを認識することができ、更に、関連する商品を素早く検索することのできるカタログを得ることを別の目的とする。
【０００４】
【課題を解決するための手段】
請求項１に記載された発明に係るインデックス機能を有するカタログは、内装施工用機器・工具・副資材の総合カタログとして、１つの、予め定められた工程からなる作業で用いる商品と、予め定められた工程からなる別の１つ以上の作業で用いる商品を多数掲載するカタログ本であって、
１つの作業について、用いる商品中で代表される商品及び／又は該作業が有する工程毎に、各代表される商品に属する個別商品および各工程で使用される個別商品の説明が掲載され、これに引き続き、別の作業について、用いる商品中で代表される商品及び／又は該別の作業が有する工程毎に、各代表される商品に属する個別商品および各工程で使用される個別商品の説明が掲載されるものであり、
各作業毎に用いる商品中で代表される商品及び／又は各作業が有する工程を、重複無く順番に見出し名として並べたナビゲーションインデックスを、商品説明の掲載頁と表装頁とに備え、
前記商品説明の掲載頁のナビゲーションインデックスには、該当頁に商品説明が掲載された個別商品が属する全ての商品及び工程の見出し名が、属しない商品及び工程の見出し名と区別して表示され、該当頁に商品説明が掲載された個別商品が属する全ての商品及び工程の見出し名に、それぞれ該当する商品説明が掲載されるカタログ指定頁が表示されており、
前記表装頁のナビゲーションインデックスとしては、前記作業毎に代表される各商品及び各作業が有する工程の見出し名の表示が小口側縁部に沿って配置され、このナビゲーションインデックスの前記各見出し名の表示に対応して小口に表示が形成されるように、該当する商品説明が掲載される頁の小口側縁部に前記見出し名をインデックス見出しとして配しているものである。
【００１１】
請求項２に記載された発明に係るインデックス機能を有するカタログは、請求項１に記載されたカタログであって、
前記表装頁のナビゲーションインデックスに外れた小口側縁部に、各作業に応じた表示形式の作業別インデックスが設けられ、
この作業別インデックスに対応して小口に表示が形成されるように、該当する商品説明が掲載される頁の小口側縁部に作業に対応する表示形式のインデックス見出しを配しているものである。
【００１２】
請求項３に記載された発明に係るインデックス機能を有するカタログは、請求項１又は請求項２に記載されたカタログであって、
前記表装頁のナビゲーションインデックスには、複数の作業間に重複する工程が存在することを示す表示が追加され、
このナビゲーションインデックスに対応して小口に表示が形成されるように、該当する商品説明が掲載される頁の小口側縁部に重複を示すインデックス見出しを配しているものである。
【００１３】
請求項４記載された発明に係るインデックス機能を有するカタログは、請求項３に記載されたカタログであって、
前記各作業毎に代表される商品及び／又は各作業が有する工程のうち、複数の商品及び／又は工程に重複して属する重複商品の商品説明が、１つの作業に該当する商品説明では詳しく掲載され、別の作業に該当する商品説明では前記１つの作業に該当する商品説明が掲載されるカタログ指定頁として掲載されているものである。
【００１５】
請求項５に記載された発明に係るインデックス機能を有するカタログは、請求項１〜４のいずれか１項に記載されたカタログであって、
５０音順に並べられた掲載個別商品名及び前記作業毎に用いる商品中で代表される商品及び／又は各作業が有する工程にそれぞれ属する下位概念の商品の品目名と、これに該当する商品説明が掲載されるカタログ指定頁を表示した５０音順インデックスを更に備え、
この５０音順インデックスには、該当する作業名が付されており、複数の作業で表示される重複する掲載個別商品名及び前記下位概念商品の品目名の各々に該当する商品説明が掲載されるカタログ指定頁が表示されている ものである。
【００１７】
請求項６に記載された発明に係るインデックス機能を有するカタログは、請求項５に記載されたカタログにおいて、
前記５０音順インデックスには、掲載個別商品名と、前記作業毎の下位概念商品の品目名とが区別して表示されているものである。
【００１８】
【発明の実施の形態】
本発明においては、予め定められた工程からなる作業に用いる商品中で代表される商品及び／又はこの作業工程と、該当する商品説明が掲載されるカタログ指定頁とを表示した工程別インデックスが、１つの見開き頁に掲載されているものであるため、目的の商品を判り易く、しかも素早く検索することができる。
【００１９】
即ち、本発明のカタログにおいては、特定の作業で必要な商品を検索する際に、目的の商品を作業に応じて検索することができる。しかも、見開き頁に掲載されているため、頁をめくることなく本発明のカタログの概要を把握することができ、目的の商品を判り易く、しかも素早く検索することができる。
【００２０】
尚、本発明の工程別インデックスは、見開き頁に掲載されるものであれば良く、特定の作業が単数又は複数存在していてもかまわない。もし、複数の作業が存在する場合には、１つ目の作業工程を掲載した後に、次の作業工程を掲載して、個々の作業の工程を独立して記載する。
【００２１】
本発明の好ましい態様としては、予め定められた工程からなる作業に用いる商品中で代表される商品及び／又はこの作業工程で使用する個別商品の見出し品目名と、該当する商品説明が掲載されるカタログ指定頁とを表示した品目別インデックスが、前述の工程別インデックスに沿って掲載されているものであるため、目的の商品を判り易く、しかも素早く検索することができる。
【００２２】
即ち、特定の作業に用いる商品中で代表される商品品目名と特定の作業工程で用いられる個別商品の見出し品目名とが工程別インデックスに沿って掲載されているため、使用者は工程別インデックスで目的の商品の工程をある程度把握した上で、より詳しい品目別インデックスで検索することができ、目的の商品を判り易く、しかも素早く検索することができる。
【００２３】
本発明のより好ましい態様としては、予め定められた工程からなる作業に用いる商品中で代表される商品及び／又はこの作業工程で使用する個別商品の見出し品目名の順番に沿って該当する商品説明が掲載されているものである。このため、商品説明が工程別インデックス又は品目別インデックスの順番に沿った配置となり、商品説明をめくる際に、ある程度工程を把握しながら該当する頁に至ることができるため、目的の商品を判り易く、しかも素早く検索することができる。
【００２４】
本発明の別の発明としては、１つの予め定められた工程からなる作業で用いる商品と、別の予め定められた工程からなる別の１つ以上の作業で用いる商品とを多数掲載するカタログであって、各作業毎で代表される商品及び／又は各作業工程を重複無く順番に並べたナビゲーションインデックスを備えているものであるため、目的の個別商品がどのような工程で必要となるかを認識できる。
【００２５】
具体的には、このナビゲーションインデックスを商品説明の掲載頁又はカタログの表装頁に備える。例えば、ナビゲーションインデックスを商品説明の掲載頁に備え、しかも、該当頁に掲載された商品説明が属する全ての作業工程を、属しない作業工程と区別して表示される。これにより、商品説明の頁であっても、該当する個別商品がどのような作業に含まれ、どの工程の途中で必要なのかを認識することができ、目的の個別商品がどのような工程で必要となることが認識できる。
【００２６】
尚、該当頁に掲載された商品説明が属する全ての作業工程と、属しない作業工程との区別は、色分け、フォントの相違、アンダーライン等の飾り文字の相違等で行うことができる。
【００２７】
更に、好ましくは、該当頁に掲載された商品説明が属する全ての作業工程には、該当する商品説明が掲載されるカタログ指定頁が表示されている場合には、関連する個別商品を素早く検索することができる。
【００２８】
また、例えば、別のナビゲーションインデックスをカタログの表装頁に備え、このナビゲーションインデックスには前述の各商品及び各作業工程を小口側縁部に沿って配置される。このナビゲーションインデックスでは、好ましくは各商品及び各作業工程に対応して小口に表示が形成されるように、該当する商品説明が掲載される頁の小口側縁部にインデックス見出しを配する。このため、頁をめくる際に該当する頁を検索し易く、目的の商品を判り易く、素早く検索することができる。
【００２９】
更に好ましい態様としては、カタログに複数の作業が掲載される場合には、ナビゲーションインデックスに外れた小口側縁部に、各作業に応じた表示形式の作業別インデックスが設けられ、尚且つ、この作業別インデックスに対応して小口に表示が形成されるように、該当する商品説明が掲載される頁の小口側縁部に作業に対応する表示形式のインデックス見出しを配することにより、頁をめくる際に該当する頁を検索し易く、目的の個別商品を判り易く、素早く検索することができる。
【００３０】
また好ましい態様としては、カタログに複数の作業が掲載され、尚且つ、複数の作業間で重複する作業工程が含まれる場合には、ナビゲーションインデックスに、別の作業に重複する作業工程が存在することを示す表示を追加する。例えば、表装頁のナビゲーションインデックスと同様に小口に表示が形成されるように、該当する商品説明が掲載される頁の小口側縁部に重複を示すインデックス見出しを配することにより、複数の作業が掲載されたカタログであっても、各作業毎に目的の個別商品を判り易く、素早く検索することができる。また、重複した個別商品であっても、他の作業での目的の個別商品を判り易く、素早く検索することができる。
【００３１】
本発明の更に別の発明としては、複数の作業で重複する商品があった場合、重複する作業工程で重複する個別商品の商品説明が、１つの作業に該当する商品説明では詳しく掲載され、別の作業に該当する商品説明では前記１つの作業に該当する商品説明が掲載されるカタログ指定頁が掲載されることにより、目的の商品を判り易く、素早く検索することができるだけでなく、重複する説明を少なくすることができ、カタログの頁数を少なくすることができる。
【００３２】
好ましい態様としては、各作業毎に用いる商品中で代表される商品及び／又は各作業工程を重複無く順番に並べたナビゲーションインデックスを商品説明の掲載頁及びカタログの表装頁に備え、このナビゲーションインデックスに別の作業に重複する工程が存在することを示す表示を追加する。これにより、記載された商品説明が重複することを理解することができる。
【００３３】
本発明の更に別の発明としては、通常と同様の５０音順インデックスを備えるが、この５０音順インデックスには、該当する作業名を付す。これにより、指示されている商品の作業が速やかに理解できる。特に好ましくは、この５０音順インデックスに、重複する掲載個別商品名及び見出し品目名の各々に該当する商品説明が掲載されるカタログ指定頁が表示された場合には、重複している商品でも属する作業が速やかに理解されるため、求める商品説明の頁を容易にしかも速やかに検索することができる。
【００３４】
また、５０音順インデックスが、掲載個別商品名と見出し品目名とを区別して表示した場合には、求める個別商品名又は品目名との混同を生じることが無く、求める商品説明の頁を容易にしかも速やかに検索することができる。尚、掲載個別商品名と見出し品目名との区別は、色分け、フォントの相違、アンダーライン等の飾り文字の相違等で行うことができる。
【００３５】
【実施例】
図１は本発明のインデックス機能を有するカタログの一実施例の表装頁を示す説明図である。図２は図１のカタログの工程別インデックスを示す説明図である。図３は図１のカタログの品目別インデックスを示す説明図である。図４は図１のカタログの一商品説明頁を示す説明図である。図５は図１のカタログの別の商品説明頁を示す説明図である。図６は図１の５０音順インデックスの一頁を示す説明図である。図７は図１の小口部分を示す説明図である。
【００３６】
図１に示す通り、本実施例のカタログは本出願人が発行する内装施工用機器・工具・副資材の総合カタログである。このカタログ(10)は、図の左側端部が綴じられている。このカタログ(10)の表装頁(11)には、右上部に本カタログ(10)で採用した索引及びこれを指定する頁を示した索引表示領域(12)が記載されている。具体的には、索引１として「工程別（インデックス）」と「品目別（インデックス）」とが記載され、索引２として「５０音順（インデックス）」と「商品番号別一覧」とが記載されている。
【００３７】
この索引表示領域(12)の下方には、本カタログ(10)で掲載した作業を示す作業表示領域(13)が記載されている。具体的には、「クロス施工」「襖・表装施工」「床施工」「カーテン取り付け施工」「建築関連工具」「汎用品」「ソフトウエア」が色分けして記載されている。各作業の上部には指定する頁が記載されている。尚、「汎用品」「ソフトウエア」は厳密に言えば特定の工程を有する作業ではないが、本実施例のカタログでは、同等として取り扱っている。
【００３８】
この作業表示領域(13)の下方の小口側縁部には、表装頁のナビゲーションインデックス(14)が記載されている。このナビゲーションインデックス(14)は前述の作業（「クロス施工」「襖・表装施工」「床施工」「カーテン取り付け施工」「建築関連工具」「汎用品」「ソフトウエア」）の作業に用いる商品中で代表される商品と各作業工程とを重複無く上から下に順番に並べたものである。
【００３９】
具体的には、上から順に「糊付機」「足場」「運搬」「収納」「保護」「電源」「照明」「熱源」「剥離」「養生」「計測」「穴あけ」「金具固定」「攪拌」「シーラー処理」「パテ処理」「研磨・切削」「糊付け」「貼付け」「切断」「加熱・溶接」「清掃」「グリッパー工法」「フローリング施工」「石質タイル施工」「汎用品」「ソフトウエア」の欄が記載されている。これらの欄が隣接する欄と混同しないように色分けして記載されている。
【００４０】
このナビゲーションインデックス(14)は、前述の通り、７つの作業に用いる商品中で代表される商品と各作業工程とを重複無く上から下に順番に並べたものであるが、別の作業に重複する工程が存在する場合に、これを示す表示として、ナビゲーションインデックス(14)の下方に「関連リンク」(15)の欄が追加して記載されている。
【００４１】
図２には本カタログ(10)の４，５頁の見開き頁に掲載された工程別インデックス(21)の状態を示す。見開き頁の左右上部には、図１の索引表示領域(12)と対応する索引表示領域(22)が記載されている。具体的には、索引１として「工程別（インデックス）」が記載されている。また、左右下部には、本カタログ(10)の頁の表示(27)が記載されている。
【００４２】
見開き頁の各頁は３列に仕切られ、各々の列には前述の７つの作業の表示(23)と、これに続いて該当する作業に用いる商品中で代表される商品とこの作業工程で使用する個別商品の見出し名と指定される頁(25)とが代表的な写真(26)と共に上から順に掲載されている。
【００４３】
この１つの見開き頁に掲載された工程別インデックス(21)は、本カタログ(10)で掲載される全ての商品をその商品が属する作業で用いる商品中に代表される商品とこの作業工程と、該当する商品説明が掲載されるカタログ指定頁とを表示しているため、頁をめくることなく本発明のカタログの概要を把握することができ、目的の商品を判り易く、しかも素早く検索することができる。
【００４４】
尚、ここで工程別インデックス(21)の作業に用いる商品中で代表される商品及びこの作業工程と、図１に示したナビゲーションインデックス(14)との説明を行う。例えば、クロス施工という作業と襖・表装施工という作業とを比べると、「収納」「電源」「剥離」「計測」「金具固定」「研磨・切削」「糊付け」「貼付け」「切断」の作業が２つの作業で重複しているが、「穴あけ」が襖・表装施工という作業に記載されている。
【００４５】
また、床施工と言う作業と比べると、「加熱・溶接」「グリッパー工法」「フローリング施工」「石質タイル施工」が床施工と言う作業に記載され、他の工程は重複している。更に、カーテン取り付け施工及び建築関連工具という作業に用いる商品中で代表される商品と各作業工程とは、既に重複しているもののみであり、汎用品及びソフトウエアでは、「汎用品」及び「ソフトウエア」の記載が重複していない。
【００４６】
このように、ナビゲーションインデックス(14)は各作業に用いる商品中で代表される商品及び／又は各作業工程の見出し名を重複無く順番に並べたものである。
【００４７】
次に図３では本カタログ(10)の工程別インデックス(21)に続く品目別インデックス(31)の状態を示す。本カタログ(10)では、この品目別インデックス(31)は、６頁から１５頁に跨っており、図３では６，７頁の見開き頁を示す。
【００４８】
見開き頁の左右上部には、図１の索引表示領域(12)と対応する索引表示領域(32)が記載されている。具体的には、索引１として「品目別（インデックス）」が記載されている。また、左右下部には、本カタログ(10)の頁の表示(37)が記載されている。
【００４９】
見開き頁の各頁は３列に仕切られ、各々の列には工程別インデックスの作業見出し(33)と、該当する作業に用いる商品中で代表される商品とこの作業工程で使用する商品の見出し名(34)と、これに続いて各見出し名の下位概念である商品の見出し品目名及び指定される頁(35)が代表的な写真(36)と共に上から順に掲載されている。
【００５０】
この品目別インデックス(31)は、商品説明が工程別インデックス又は品目別インデックスの順番に沿った配置となり、商品説明をめくる際に、ある程度工程を把握しながら該当する頁に至ることができるため、目的の商品を判り易く、しかも素早く検索することができる。
【００５１】
図４では本カタログ(10)の自動糊付機の商品説明頁の見開き状態を示す。見開き頁の左右下部には、本カタログ(10)の頁の表示(47)が記載されている。見開き頁の各頁には個別商品写真(46)と、個別商品説明(48)が記載されている。
【００５２】
見開き頁の両小口縁部、即ち、左右側縁部には、図１に示した作業表示領域(13)のうち、対応する作業が表示される。本実施例では、自動糊付機の商品説明頁であるので、「クロス施工」の表示(43)が作業表示領域(13)と同色で記載される。
【００５３】
この「クロス施工」の表示(43)の下方には、図１に示した表装頁のナビゲーションインデックス(14)の各欄のうち、対応する欄のみが同位置に表示される。即ち、本実施例では、自動糊付機の商品説明頁であるので、ナビゲーションインデックス(14)の同位置に「糊付機」の表示(44)が図１のナビゲーションインデックス(14)の「糊付機」の欄と同色で記載される。
【００５４】
これら「クロス施工」の表示(43)及び「糊付機」の表示(44)は全ての商品説明頁で対応する小口縁部に対応する表示で記載されることにより、頁をめくる際に該当する頁を検索し易く、目的の商品を判り易く、素早く検索することができる。
【００５５】
また、「糊付機」の表示(44)の下方には、商品説明頁に対応する品目別インデックスの見出し品目名(42)が掲載されている。この表示も目的の個別商品を判り易く、素早く検索することができる。
【００５６】
この見開き頁の下方には、両頁に跨って図１のナビゲーションインデックス(14)に対応する商品説明頁のナビゲーションインデックス欄(41)が掲載されている。
【００５７】
このナビゲーションインデックス(41)には、左から順に「糊付機」「足場」「運搬」「収納」「保護」「電源」「照明」「熱源」「剥離」「養生」「計測」「穴あけ」「金具固定」「攪拌」「シーラー処理」「パテ処理」「研磨・切削」「糊付け」「貼付け」「切断」「加熱・溶接」「清掃」「グリッパー工法」「フローリング施工」「石質タイル施工」「汎用品」「ソフトウエア」の図１に示した欄が記載されており、これに更に別の作業に重複する工程が存在することを示す表示として「関連リンク」(45)の欄が追加して記載されている。
【００５８】
この実施例に示すナビゲーションインデックス(41)では、見開き頁に記載されている自動糊付機が属する全ての作業工程、即ち、「糊付機」「足場」「運搬」「収納」「保護」「電源」「照明」「熱源」「剥離」「養生」「計測」「金具固定」「攪拌」「シーラー処理」「パテ処理」「研磨・切削」「糊付け」「貼付け」「切断」「清掃」を、他の属しない作業工程と区別して表示される。本実施例の場合は、図示しないが、太文字で表示される。
【００５９】
これにより、商品説明の頁であっても、該当する個別商品がどのような作業に含まれ、どの工程の途中で必要なのかを認識することができ、目的の商品がどのような工程で必要となることが認識できる。また、このナビゲーションインデックス(41)の自動糊付機が属する全ての作業工程の欄の上部には、該当する商品説明が掲載されるカタログ指定頁(49)が表示されている。このため、関連する商品を素早く検索することができる。
【００６０】
尚、図４に示す実施例では、「自動糊付機」を例に示したが、他の商品説明の頁においても、同等の表示を行うことは明記するまでもない。
【００６１】
図５では別の商品説明頁の見開き状態を示す。見開き頁の左頁は、図４と同様に、個別商品写真(56a) と、個別商品説明(58a) が掲載される。また、同頁の小口縁部、即ち、側縁部には、図１に示した作業表示領域(13)のうち、対応する作業(53a) が表示され、図１に示したナビゲーションインデックス(14)の各欄のうち、対応するナビゲーションインデックス欄(54a) のみが同位置に表示されている。更に、その下部には、商品説明頁に対応する品目別インデックスの見出し品目名(52a) が掲載されている。
【００６２】
また、この見開き頁の下方にも、両頁に跨って図１のナビゲーションインデックス(14)に対応する商品説明頁のナビゲーションインデックス(51)及び別の作業に重複する工程が存在することを示す表示として「関連リンク」(55)の欄が、本商品説明の作業工程に属する欄の表示文字を、他の属しない作業工程と区別して表示される。本実施例の場合は、太文字で表示される。また、その上部には、該当する商品説明が掲載されるカタログ指定頁(59)が表示されている。また、見開き頁の左右下部には、本カタログ(10)の頁の表示(57)が記載されている。
【００６３】
また、図５の見開き頁右頁の小口縁部も同様に、図１に示した作業表示領域(13)のうち、対応する作業(53b) が表示され、図１に示したナビゲーションインデックス(14)の各欄のうち、対応するナビゲーションインデックス欄(54b) のみが同位置に表示されている。
【００６４】
この見開き右頁は、複数の作業で重複する作業工程及び商品があった場合の商品説明を示している。即ち、本頁掲載されている商品は、他の作業の商品説明頁に詳しい商品説明が掲載されている商品である。図５の右頁に示す通り、個別商品写真(56b) が掲載され、その下部には詳しい個別商品説明が掲載されているカタログ指定頁(58b) が表示されている。
【００６５】
また、小口縁部の対応するナビゲーションインデックス欄(54b) の下方には、別の作業に重複する工程が存在することを示す表示「関連リンク」(55b) が、図１のナビゲーションインデックス(14)に追加された別の作業に重複する工程が存在することを示す表示(関連リンク)(15)に対応する位置に表示されている。更に、その下部には、商品説明頁に対応する品目別インデックスの見出し品目名(52b) が掲載されている。
【００６６】
これにより、記載された個別商品説明が重複することを理解することができ、目的の商品を判り易く、素早く検索することができるだけでなく、重複する説明を少なくすることができ、カタログの頁数を少なくすることができる。
【００６７】
図６には本カタログ(10)の末頁に掲載された５０音順インデックス(61)の状態を示す。頁の上部には、図１の索引表示領域(12)と対応する索引表示領域(62)が記載されている。具体的には、索引２として「５０音順（インデックス）」が記載されている。また、頁下部には、本カタログ(10)の頁の表示(67)と、５０音順インデックスのナビゲーションインデックス(69)が記載されている。
【００６８】
この５０音順のナビゲーションインデックス(69)は、「数字」「アルファベット」「あ行」〜「わ行」までのインデックス見出しを表示し、掲載された頁の該当するインデックス見出しを、他のインデックス見出しと相違して表示させたものである。また、この見出しの上に該当するカタログ指定頁を表示し、速やかな検索が行えるようにしている。
【００６９】
頁は２列に仕切られ、「数字順」、「アルファベット順」及び、「５０音順」に掲載個別商品名(63)又は見出し品目名(64)の各々に該当する商品説明が掲載されるカタログ指定頁(65)が表示されている。掲載個別商品名(63)又は見出し品目名(64)とカタログ指定頁(65)との間には、該当する作業名(66)が表示されている。これにより、指示されている商品の作業が速やかに理解できる。
【００７０】
尚、この５０音順インデックスでは、掲載個別商品名(63)及び見出し品目名(64)の重複するもの(68)があれば、各々に該当する商品説明が掲載されるカタログ指定頁が表示されている。これにより、重複している個別商品でも属する作業が速やかに理解されるため、求める商品説明の頁を容易にしかも速やかに検索することができる。
【００７１】
また、５０音順インデックスでが、掲載個別商品名(63)と見出し品目名(64)とを相違する色で区別して表示している（図では、見出し品目名(64)をアンダーラインで示す）。これにより、求める個別商品名又は品目名との混同を生じることが無く、求める商品説明の頁を容易にしかも速やかに検索することができる。尚、掲載商品名と見出し品目名との区別は、色分けの他にも、フォントの相違、アンダーライン等の飾り文字の相違等で行うことができる。
【００７２】
以上のような構成のカタログ(10)の小口部分(71)を図７に示した。図に示す通り、上部の帯は、図１、図４及び図５で示した作業表示領域(73)である。即ち、カタログ(10)の商品説明頁毎に図１の作業表示領域(13)に対応した色分けと位置とで表示された作業(43,53a,53b)を表示した結果、帯状の作業表示領域(73)が小口部分に表出したものである。各作業は色分けされているため、一目で目的の作業を認識でき、容易に目的の作業を検索することができる。
【００７３】
作業表示領域(73)の下方には、図１、図４及び図５で示したナビゲーションインデックス欄(44,54a,54b)を表示した短い帯が階段状に並んでいるナビゲーションインデックス欄(74)が表示されている。各作業工程は対応する位置にあり、しかも色分けされているため、一目で目的の作業工程を認識でき、容易に目的の作業工程を検索することができる。尚、重複する作業工程は、同じ色と同じ高さ位置に表出されるため、検索が更に容易となる。
【００７４】
特に、別の作業に重複する工程が存在することを示す表示としての「関連リンク」(75)も同じ色と同じ高さ位置に表出されるため、検索が更に容易となる。
【００７５】
【発明の効果】
本発明は以上説明した通り、例えば建築施工に関する商品を紹介するカタログ等のように、予め定められた工程からなる作業で用いる商品を多数掲載するカタログにおいて、目的の商品を判り易く、素早く検索することができる。また、目的の商品がどのような工程で必要となるかを認識することができ、更に、関連する商品を素早く検索することができるという効果がある。
【図面の簡単な説明】
【図１】本発明のインデックス機能を有するカタログの一実施例の表装頁を示す説明図である。
【図２】図１のカタログの工程別インデックスを示す説明図である。
【図３】図１のカタログの品目別インデックスを示す説明図である。
【図４】図１のカタログの一商品説明頁を示す説明図である。
【図５】図１のカタログの別の商品説明頁を示す説明図である。
【図６】図１の５０音順インデックスの一頁を示す説明図である。
【図７】図１の小口部分を示す説明図である。
【符号の説明】
(10)…カタログ、
(11)…表装頁、
(12)…索引表示領域、
(13)…作業表示領域、
(14)…表装頁のナビゲーションインデックス、
(15)…別の作業に重複する工程が存在することを示す表示(関連リンク)、
(21)…工程別インデックス、
(22)…索引表示領域、
(23)…作業の表示、
(25)…商品の見出し名及び指定される頁、
(26)…代表的な写真、
(27)…頁の表示、
(31)…品目別インデックス、
(32)…索引表示領域、
(33)…工程別インデックスの作業見出し、
(34)…商品の見出し名、
(35)…商品の見出し品目名及び指定される頁、
(36)…代表的な写真、
(37)…頁の表示、
(41)…商品説明頁のナビゲーションインデックス、
(42)…対応する品目別インデックスの見出し品目名、
(43)…対応する作業の表示(クロス施工)、
(44)…対応するナビゲーションインデックス欄の表示(糊付機)、
(45)…別の作業に重複する工程が存在することを示す表示(関連リンク)、
(46)…商品写真、
(47)…頁の表示、
(48)…商品説明、
(49)…カタログ指定頁、
(51)…商品説明頁のナビゲーションインデックス、
(52a) …対応する品目別インデックスの見出し品目名、
(52b) …対応する品目別インデックスの見出し品目名、
(53a) …対応する作業の表示、
(53b) …対応する作業の表示、
(54a) …対応するナビゲーションインデックス欄の表示、
(54b) …対応するナビゲーションインデックス欄の表示、
(55)…別の作業に重複する工程が存在することを示す表示(関連リンク)、
(55b) …別の作業に重複する工程が存在することを示す表示(関連リンク)、
(56a) …商品写真、
(56b) …商品写真、
(57)…頁の表示、
(58a) …商品説明、
(58b) …詳しい商品説明が掲載されているカタログ指定頁、
(59)…カタログ指定頁、
(61)…５０音順インデックス、
(62)…索引表示領域、
(63)…掲載商品名、
(64)…見出し品目名、
(65)…カタログ指定頁、
(66)…該当する作業名、
(67)…頁の表示、
(68)…掲載商品名及び見出し品目名の重複するもの、
(69)…５０音順インデックスのナビゲーションインデックス、
(71)…小口部分、
(73)…作業表示領域、
(74)…ナビゲーションインデックス欄、
(75)…別の作業に重複する工程が存在することを示す表示(関連リンク)、
【図１】
0004518445.tif 000002
【図２】
0004518445.tif 000003
【図３】
0004518445.tif 000004
【図４】
0004518445.tif 000005
【図５】
0004518445.tif 000006
【図６】
0004518445.tif 000007
【図７】
0004518445.tif 000008